(57)【特許請求の範囲】
【請求項１】
竿元側に釣糸導入孔を有するとともに穂先側端部に糸導出口を有する中通し竿内部の釣糸通路に釣糸を通すために用いられる糸通し具であって、
前記釣糸通路を挿通可能な外径を有する屈曲自在な線状の本体部と、
前記本体部の先端部に設けられたキャップ部と、
前記本体部の後端部に設けられ釣糸を係止可能な釣糸係止部と、
前記本体部上に配置され本体部の後端部方向への移動を妨げる移動規制手段とからなり、
前記移動規制手段は、前記本体部の周方向及び軸方向にわたって間隔を隔てて後端部方向に傾いて形成され、柔軟に屈曲自在な部材からなる毛状部材であることを特徴とする糸通し具。
【請求項２】
前記毛状部材は前記本体部の少なくとも先端側の一部に配置されている、請求項１に記載の糸通し具。
【請求項３】
前記毛状部材は弾性を有する、請求項１または２に記載の糸通し具。
【請求項４】
竿元側に釣糸導入孔を有するとともに穂先側端部に糸導出口を有する中通し竿内部の釣糸通路に釣糸を通すために用いられる糸通し具であって、
前記釣糸通路を挿通可能な外径を有する屈曲自在な線状の本体部と、
前記本体部の先端部に設けられたキャップ部と、
前記本体部の後端部に設けられ釣糸を係止可能な釣糸係止部と、
前記本体部上に配置され本体部の後端部方向への移動を妨げる移動規制手段とからなり、
前記移動規制手段は、前記本体部の周方向及び軸方向にわたって間隔を隔てて後端部方向に突出して形成された複数のフック状部材である
ことを特徴とする糸通し具。
【発明の詳細な説明】
【０００１】
【発明の属する技術分野】
本発明は、中通し竿、特に振出形式で連結された中通し竿の内部に釣糸を通すために用いられる糸通し具に関する。
【０００２】
【従来の技術】
従来の中通し竿は、竿体内部に釣糸通路を有する元竿と、元竿の穂先側に連結された中竿と、中竿の穂先側に連結された穂先竿とを有している。この元竿は、竿体外周面に固定されたリールと、リールの穂先側に設けられ釣糸通路内にリールからの釣糸を導入するための釣糸導入孔とを有している。また、穂先竿の穂先側先端にはトップガイドが設けられている。このような中通し竿では、リールからの釣糸は釣糸導入孔から釣糸通路に導入され、順次竿体内を穂先側に導かれて穂先竿のトップガイドから外部に導出される。
【０００３】
この種の中通し竿において、釣糸導入孔から釣糸通路に釣糸を導入して釣糸通路に釣糸を通すために（以下「釣糸挿通操作」という）糸通し具が用いられる。従来の糸通し具は、複数の金属素線をより合わせて形成したワイヤからなる。このワイヤの後端には釣糸を係止するための釣糸係止部が設けられ、またワイヤの先端にはワイヤの素線が広がるのを防止するためのキャップが固定されている。
【０００４】
このような糸通し具を用いて釣糸挿通操作をおこなう際には、まず、糸通し具の糸係止部に釣糸を係止して釣糸導入孔よりキャップを挿入する。そして、順次穂先側にワイヤを送って穂先側から導出する。
【０００５】
【発明が解決しようとする課題】
このような釣糸挿通操作において、糸通し具を中通し竿の釣糸導入孔に挿入する場合、中通し竿の穂先側を傾けて、釣糸導入孔内をのぞき込みながら作業を行う場合がある。
【０００６】
しかし、振出形式の中通し竿の穂先側を下方に傾けて釣糸挿通操作を行うと、作業中に穂先側の竿体が飛び出してしまう恐れがあり、穂先側の竿体が飛び出さないようにするための係止栓等が必要になる。このように係止栓等を設けるのは煩雑であり釣竿のコスト高を招く。一方で、中通し竿の穂先側を上方に傾けて釣糸挿通操作を行うと、糸通し具を上方に向かって挿入することになり、糸通し具が釣糸通路内を逆戻りしてうまく挿入できない。
【０００７】
本発明の課題は、中通し竿の釣糸挿通操作を容易に行うことができる糸通し具を提供することにある。
【００１０】
【課題を解決するための手段】
発明１にかかる糸通し具は、竿元側に釣糸導入孔を有するとともに穂先側端部に糸導出口を有する中通し竿内部の釣糸通路に釣糸を通すために用いられる糸通し具であって、釣糸通路を挿通可能な外径を有する屈曲自在な線状の本体部と、本体部の先端部に設けられたキャップ部と、本体部の後端部に設けられ釣糸を係止可能な釣糸係止部と、本体部上に配置され本体部の後端部方向への移動を妨げる移動規制手段とを備えている。
また、前記移動規制手段は、前記本体部の周方向及び軸方向にわたって間隔を隔てて後端部方向に傾いて形成され、柔軟に屈曲自在な部材からなる毛状部材であることを特徴とする。
【００１１】
この場合には、中通し竿の穂先側を上方に傾けながら糸通し具を釣糸導入孔から中通し竿に挿入する。ここで、糸通し具の本体部に設けられた移動規制手段が、糸通し具の竿元側方向（傾けた中通し竿の下方）への逆戻りを抑える。即ち、中通し竿の穂先側を上方に向けながら釣糸挿通操作を容易に行うことが可能になる。この結果、中通し竿自体には別段穂先側の竿体の穂先側への飛び出しを防止する係止栓等を設ける必要がない。
また、この場合には、後端部方向に傾いて形成された毛状部材が、糸通し具の竿元側方向への逆戻りを抑える。
【００１２】
発明２にかかる糸通し具は、発明１の中通し具であって、毛状部材は本体部の少なくとも先端側の一部に配置されている。
【００１３】
この場合には、本体部の少なくとも先端側の一部に配置された毛状部材が、中通し竿の穂先側を上方に傾けて釣糸挿通操作を行う際の糸通し具の逆戻りを防止する。本体部全体に毛状部材を配置する場合に比べて経済的である。
発明３にかかる糸通し具は、発明１または２の糸通し具であって、毛状部材は弾性を有している。
【００１４】
この場合には、毛状部材が弾性を有しており、中通し竿の釣糸挿通通路内での糸通し具の穂先側への移動が容易になり、釣糸挿通操作が容易になる。
【００１５】
発明４にかかる糸通し具は、竿元側に釣糸導入孔を有するとともに穂先側端部に糸導出口を有する中通し竿内部の釣糸通路に釣糸を通すために用いられる糸通し具であって、前記釣糸通路を挿通可能な外径を有する屈曲自在な線状の本体部と、前記本体部の先端部に設けられたキャップ部と、前記本体部の後端部に設けられ釣糸を係止可能な釣糸係止部と、前記本体部上に配置され本体部の後端部方向への移動を妨げる移動規制手段とからなり、前記移動規制手段は、前記本体部の周方向及び軸方向にわたって間隔を隔てて後端部方向に突出して形成された複数のフック状部材である。
【００１６】
この場合には、本体部上に形成されたフック状部材が糸通し具の竿元側方向への逆戻りを抑える。
【００１７】
【発明の実施の形態】
［第１実施形態］
以下、本発明の第１実施形態について、図面を参照しつつ説明する。
【００１８】
まず、本発明の第１実施形態を採用した糸通し具を用いて釣糸挿通操作を行う中通し竿について説明する。
【００１９】
この中通し竿は、図１に示すように、元竿１と、元竿１の穂先側に順次連結された第１中竿２，第２中竿３及び穂先竿４とを有している。これら元竿１〜穂先竿４は炭素繊維またはガラス繊維等の強化繊維に合成樹脂を含浸させたプリプレグからなる先細り筒状部材であって、内部にそれぞれ釣糸通路１００（図５参照）を有している。そして、穂先竿４から順次竿元側の竿体内に挿入され収納可能であり、いわゆる振出形式で連結されている。
【００２０】
元竿１の竿元側の外周面にはリール６を脱着自在に装着可能なリールシート５が設けられており、また、穂先側の外周面にはリール６からの釣糸Ｌを釣糸通路１００内に導入するための釣糸導入孔７が形成されている。この釣糸導入孔７の周縁部には釣糸Ｌとの接触から元竿１の竿体を保護するためのセラミックリングＰ（図５参照）がはめ込まれている。
【００２１】
一方、第１中竿２の竿元側端面には軸方向に貫通孔が形成されたゴム製の尻栓９が取り付けられており（図５参照）、第１中竿２内に収納される第２中竿３及び穂先竿４が第１中竿２を通過してさらに竿元側まで挿入されるのを防止している。なお、釣糸Ｌは尻栓９の貫通孔を通過して穂先側に導かれるようになっている。また、穂先竿４の穂先側端部にはトップガイド８が設けられている。
この中通し竿では、リール６からの釣糸Ｌは釣糸導入孔７から釣糸通路１００に導入され、穂先側のトップガイド８から導出される。
【００２２】
本発明の第１実施形態を採用した糸通し具１０は、図２及び図３に示すように、線状の本体部１１と、本体部１１の先端に設けられたキャップ部１２と、本体部１１の後端に設けられ釣糸Ｌを係止可能な釣糸係止部１３と、本体部１１の後端方向に傾いて本体部１１上に配置された毛状部材１４とを有している。
【００２３】
本体部１１は、複数の金属素線をよって形成されたワイヤまたは合成樹脂で形成された屈曲自在な線状部材である。金属ワイヤから形成される場合、その表面には合成樹脂によって表面コートが施される。また、商品イメージに合わせて様々な色彩や模様が施される。この本体部１１の外径は穂先竿４内の釣糸通路１００の内径より小さく、穂先竿４内の釣糸通路１００を挿通可能になっている。
【００２４】
キャップ部１２は、金属または合成樹脂からなる蓋付円筒型部材であって、本体部１１の先端部分を収納するように配置されている。本体部１１よりやや大径で穂先竿４の内径より小さく、中通し竿の内部の釣糸通路１００を挿通可能なものである。また、釣糸係止部１３は、本体部１１より小径のワイヤ等でリング状に形成されており、このリング状の部分に釣糸Ｌを係止可能である。
【００２５】
毛状部材１４は、ナイロン等の合成樹脂を毛状に形成した柔軟に屈曲自在な部材である。本体部１１の周方向全体にわたって間隔を隔てて配置されており、また、本体部１１の穂先側から軸方向にわたって所定の間隔を隔てて配置されている。この毛状部材１４は、先端側（本体部１１に連結される側の反対側）ほど本体部１１の後端部方向（係止部１３方向）に傾くように本体部１１上に配置されている。
【００２６】
この糸通し具１０を用いて、以下のように釣糸挿通操作を行う。
【００２７】
図４及び図５に示すように、まず、中通し竿の穂先竿４及び第２中竿３を順次第１中竿２内に収納して、元竿１の穂先側に第１中竿２が突出して連結されている状態とする。一方で、糸通し具１０の釣糸係止部１３に釣糸Ｌを係止する。続いて、中通し竿の穂先側を上方に傾けながら糸通し具１０をキャップ部１２側から釣糸導入孔７に挿入する。そして、糸通し具１０は第２中竿２の尻栓９から穂先竿４内へと導かれる。
【００２８】
穂先竿４内の釣糸通路１００内において、糸通し具１０を穂先側に押し込む間、本体部１１に設けられた毛状部材１４が釣糸通路１００の内周面に接触して、傾けた中通し竿の下方に本体部１１が逆戻りするのを抑える。そして、順次穂先側に送られた糸通し具１０はトップガイド８から外部へ導出される。
【００２９】
以上のように、糸通し具１０によれば、中通し竿の穂先側を上方に向けながら釣糸挿通操作を容易に行うことが可能になる。この結果、中通し竿自体には別段穂先側の竿体の穂先側への飛び出しを防止する係止栓等を設ける必要がなく、簡易な構造のままでも、釣糸挿通操作を容易に行うことができる。
【００３０】
［第２実施形態］
以下、本発明の第２実施形態について、図面を参照しつつ説明する。
【００３１】
本発明の第２実施形態を採用した糸通し具２０は、図６に示すように、線状の本体部２１と、本体部２１の先端に設けられたキャップ部２２と、本体部２１の後端に設けられ釣糸Ｌを係止可能な釣糸係止部２３と、本体部２１上に後端方向に突出して形成された複数のフック部２４とを有している。
【００３２】
本体部２１は、複数の金属素線をよって形成されたワイヤまたは合成樹脂で形成された屈曲自在な線状部材である。金属ワイヤから形成される場合、その表面には合成樹脂によって表面コートが施される。また、商品イメージに合わせて様々な色彩や模様が施される。この本体部２１の外径は穂先竿４内の釣糸通路１００の内径より小さく、穂先竿４内の釣糸通路１００を挿通可能になっている。
【００３３】
フック部２４は、合成樹脂または弾性を有するゴム等からなるフック状の部材である。本体部２１の周方向全体にわたって間隔を隔てて配置されており、また、本体部２１の穂先側から軸方向にわたって所定の間隔を隔てて配置されている。
【００３４】
なお、その他の構成は第１実施形態と同様であり説明を省略する。
【００３５】
このように構成された糸通し具では、第１実施形態と同様の作用効果を奏する。
【００３６】
［他の実施形態］
（ａ）上記実施の形態では毛状部材１４を本体部の穂先側の一部にのみ配置したが、さらに糸通し具の逆戻りを十分に抑えるために本体部１１全体に毛状部材１４を配置してもよい。
（ｂ）毛状部材１４を天然ゴムや合成ゴムから形成してもよい。摩擦力が大きくなって逆戻りをさらに有効に防止できる。また、毛状部材１４の屈曲性も向上して釣糸挿通操作が容易になる。
（ｃ）上記実施形態において示した中通し竿の他にも、周知の様々な中通し竿に対して、本発明の糸通しを用いることが可能である。
（ｄ）本体部を螺旋状に形成し、糸通し具を螺旋方向に回転させながら中通し材内に挿入可能にしてもよい。
【００３７】
【発明の効果】
本発明にかかる糸通し具によれば、中通し竿を上方に向けたまま釣糸挿通操作を容易に行うことができる。
【図面の簡単な説明】
【図１】本発明の糸通しを用いて釣糸挿通操作を行う中通し竿の全体図。
【図２】本発明の第１実施形態を採用した糸通し具の全体図。
【図３】図２のIII−III断面図。
【図４】本発明の第１実施形態を採用した糸通し具による釣糸挿通操作の状態を示した図。
【図５】図４の釣糸導入孔付近の拡大断面図。
【図６】本発明の第２実施形態を採用した糸通し具の全体図。
【符号の説明】
１  元竿
２  第１中竿
３  第２中竿
４  穂先竿
１１，２１  本体部
１２，２２  キャップ部
１３，２３  釣糸係止部
１４  毛状部材
２４  フック部
Ｌ  釣糸
Ｐ  セラミックガイド
【図１】
0004108201.tif 000002
【図２】
0004108201.tif 000003
【図３】
0004108201.tif 000004
【図４】
0004108201.tif 000005
【図５】
0004108201.tif 000006
【図６】
0004108201.tif 000007